【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
入力される画像データに基づく画像を表示する表示パネルと、
前記表示パネルの表示領域内の複数の分割領域に対応する複数のブロックを有し、前記表示パネルに光を照射するバックライトと、
前記複数のブロックの各々の光源の波長を制御する制御手段と、
前記表示パネルの表示領域内の異なる領域に複数のウィンドウを表示させる画像データが入力される場合に、ウィンドウ毎に指定される表示位置及び色域の情報を取得する取得手段と、
を有し、
前記制御手段は、複数のウィンドウが表示される分割領域である第１分割領域に対応するブロックの光源の波長を、当該複数のウィンドウに指定される色域のうち最も広い色域である第１色域に応じて制御することを特徴とする画像表示装置。
【請求項２】
前記制御手段は、１つのウィンドウが表示される分割領域である第２分割領域に対応するブロックの光源の波長を、当該１つのウィンドウに指定される色域である第２色域に応じて制御することを特徴とする請求項１に記載の画像表示装置。
【請求項３】
入力される画像データに対して画像処理を行う画像処理手段をさらに備え、
前記画像処理手段は、前記第１分割領域に表示される複数のウィンドウのうち前記第１色域より狭い色域が指定されるウィンドウの画像データに対し、前記第１色域の画像データへ変換することを特徴とする請求項１又は２に記載の画像表示装置。
【請求項４】
前記複数のブロックの各々の光源は、一組又は複数組の赤色LED、緑色LED、及び青色LEDからなり、
前記制御手段は、前記第１分割領域に対応するブロックの発光の色域が前記第１色域をカバーするように、赤色LED、緑色LED、及び青色LEDの波長を制御する請求項１〜３のい
ずれか１項に記載の画像表示装置。
【請求項５】
前記複数のブロックの各々の光源は、一組又は複数組の赤色LED、緑色LED、及び青色LEDからなり、
前記制御手段は、前記第２分割領域に対応するブロックの発光の色域が前記第２色域を
カバーするように、赤色LED、緑色LED、及び青色LEDの波長を制御する請求項２に記載の
画像表示装置。
【請求項６】
前記制御手段は、赤色LED、緑色LED、及び青色LEDに流す電流を調節することにより赤
色LED、緑色LED、及び青色LEDの波長を制御する請求項４又は５に記載の画像表示装置。
【請求項７】
入力される画像データに基づく画像を表示する表示パネルと、
前記表示パネルの表示領域内の複数の分割領域に対応する複数のブロックを有し、前記表示パネルに光を照射するバックライトと、
前記複数のブロックの各々の光源の光強度を制御する制御手段と、
前記表示パネルの表示領域内の異なる領域に複数のウィンドウを表示させる画像データが入力される場合に、ウィンドウ毎に指定される表示位置及び輝度の情報を取得する取得手段と、
を有し、
前記制御手段は、複数のウィンドウが表示される分割領域である第１分割領域に対応するブロックの光源の光強度を、当該複数のウィンドウに指定される輝度のうち最も高い輝度である第１輝度に応じて制御することを特徴とする画像表示装置。
【請求項８】
前記制御手段は、１つのウィンドウが表示される分割領域である第２分割領域に対応するブロックの光源の光強度を、当該１つのウィンドウに指定される輝度である第２輝度に応じて制御することを特徴とする請求項７に記載の画像表示装置。
【請求項９】
入力される画像データに対して画像処理を行う画像処理手段をさらに備え、
前記画像処理手段は、前記第１分割領域に表示される複数のウィンドウのうち前記第１輝度より低い輝度が設定されるウィンドウの画像データに対し、輝度補正を行うことを特徴とする請求項６又は７に記載の画像表示装置。
【請求項１０】
前記複数のブロックの各々の光源は、一又は複数の白色LEDからなり、
前記制御手段は、前記第１分割領域に対応するブロックの輝度が前記第１輝度になるように、白色LEDの光強度を制御する請求項７〜９のいずれか１項に記載の画像表示装置。
【請求項１１】
前記複数のブロックの各々の光源は、一又は複数の白色LEDからなり、
前記制御手段は、前記第２分割領域に対応するブロックの輝度が前記第２輝度になるように、白色LEDの光強度を制御する請求項８に記載の画像表示装置。
【請求項１２】
前記制御手段は、白色LEDに流す電流を調節することにより白色LEDの光強度を制御する請求項１０又は１１に記載の画像表示装置。
【請求項１３】
入力される画像データに基づく画像を表示する表示パネルと、
前記表示パネルの表示領域内の複数の分割領域に対応する複数のブロックを有し、前記表示パネルに光を照射するバックライトと、
を備える画像表示装置の制御方法であって、
前記複数のブロックの各々の光源の波長を制御する制御工程と、
前記表示パネルの表示領域内の異なる領域に複数のウィンドウを表示させる画像データが入力される場合に、ウィンドウ毎に指定される表示位置及び色域の情報を取得する取得工程と、
を有し、
前記制御工程では、複数のウィンドウが表示される分割領域である第１分割領域に対応するブロックの光源の波長を、当該複数のウィンドウに指定される色域のうち最も広い色域である第１色域に応じて制御することを特徴とする画像表示装置の制御方法。
【請求項１４】
前記制御工程では、１つのウィンドウが表示される分割領域である第２分割領域に対応するブロックの光源の波長を、当該１つのウィンドウに指定される色域である第２色域に応じて制御することを特徴とする請求項１３に記載の画像表示装置の制御方法。
【請求項１５】
入力される画像データに対して画像処理を行う画像処理工程をさらに有し、
前記画像処理工程では、前記第１分割領域に表示される複数のウィンドウのうち前記第１色域より狭い色域が指定されるウィンドウの画像データに対し、前記第１色域の画像データへ変換することを特徴とする請求項１３又は１４に記載の画像表示装置の制御方法。
【請求項１６】
前記複数のブロックの各々の光源は、一組又は複数組の赤色LED、緑色LED、及び青色LEDからなり、
前記制御工程では、前記第１分割領域に対応するブロックの発光の色域が前記第１色域をカバーするように、赤色LED、緑色LED、及び青色LEDの波長を制御する請求項１３〜１
５のいずれか１項に記載の画像表示装置の制御方法。
【請求項１７】
前記複数のブロックの各々の光源は、一組又は複数組の赤色LED、緑色LED、及び青色LEDからなり、
前記制御工程では、前記第２分割領域に対応するブロックの発光の色域が前記第２色域をカバーするように、赤色LED、緑色LED、及び青色LEDの波長を制御する請求項１４に記
載の画像表示装置。
【請求項１８】
入力される画像データに基づく画像を表示する表示パネルと、
前記表示パネルの表示領域内の複数の分割領域に対応する複数のブロックを有し、前記表示パネルに光を照射するバックライトと、
を備える画像表示装置の制御方法であって、
前記複数のブロックの各々の光源の光強度を制御する制御工程と、
前記表示パネルの表示領域内の異なる領域に複数のウィンドウを表示させる画像データが入力される場合に、ウィンドウ毎に指定される表示位置及び輝度の情報を取得する取得工程と、
を有し、
前記制御工程では、複数のウィンドウが表示される分割領域である第１分割領域に対応するブロックの光源の光強度を、当該複数のウィンドウに指定される輝度のうち最も高い輝度である第１輝度に応じて制御することを特徴とする画像表示装置の制御方法。
【請求項１９】
前記制御工程では、１つのウィンドウが表示される分割領域である第２分割領域に対応するブロックの光源の光強度を、当該１つのウィンドウに指定される輝度である第２輝度に応じて制御することを特徴とする請求項１８に記載の画像表示装置の制御方法。
【請求項２０】
入力される画像データに対して画像処理を行う画像処理工程をさらに有し、
前記画像処理工程では、前記第１分割領域に表示される複数のウィンドウのうち前記第１輝度より低い輝度が設定されるウィンドウの画像データに対し、輝度補正を行うことを特徴とする請求項１８又は１９に記載の画像表示装置の制御方法。
【手続補正２】
【補正対象書類名】明細書
【補正対象項目名】０００９
【補正方法】変更
【補正の内容】
【０００９】
本発明は、入力される画像データに基づく画像を表示する表示パネルと、
前記表示パネルの表示領域内の複数の分割領域に対応する複数のブロックを有し、前記表示パネルに光を照射するバックライトと、
前記複数のブロックの各々の光源の波長を制御する制御手段と、
前記表示パネルの表示領域内の異なる領域に複数のウィンドウを表示させる画像データが入力される場合に、ウィンドウ毎に指定される表示位置及び色域の情報を取得する取得手段と、
を有し、
前記制御手段は、複数のウィンドウが表示される分割領域である第１分割領域に対応するブロックの光源の波長を、当該複数のウィンドウに指定される色域のうち最も広い色域である第１色域に応じて制御することを特徴とする画像表示装置である。
【手続補正３】
【補正対象書類名】明細書
【補正対象項目名】００１０
【補正方法】変更
【補正の内容】
【００１０】
本発明は、入力される画像データに基づく画像を表示する表示パネルと、
前記表示パネルの表示領域内の複数の分割領域に対応する複数のブロックを有し、前記表示パネルに光を照射するバックライトと、
前記複数のブロックの各々の光源の光強度を制御する制御手段と、
前記表示パネルの表示領域内の異なる領域に複数のウィンドウを表示させる画像データが入力される場合に、ウィンドウ毎に指定される表示位置及び輝度の情報を取得する取得手段と、
を有し、
前記制御手段は、複数のウィンドウが表示される分割領域である第１分割領域に対応するブロックの光源の光強度を、当該複数のウィンドウに指定される輝度のうち最も高い輝度である第１輝度に応じて制御することを特徴とする画像表示装置である。
【手続補正４】
【補正対象書類名】明細書
【補正対象項目名】００１１
【補正方法】変更
【補正の内容】
【００１１】
本発明は、入力される画像データに基づく画像を表示する表示パネルと、
前記表示パネルの表示領域内の複数の分割領域に対応する複数のブロックを有し、前記表示パネルに光を照射するバックライトと、
を備える画像表示装置の制御方法であって、
前記複数のブロックの各々の光源の波長を制御する制御工程と、
前記表示パネルの表示領域内の異なる領域に複数のウィンドウを表示させる画像データが入力される場合に、ウィンドウ毎に指定される表示位置及び色域の情報を取得する取得工程と、
を有し、
前記制御工程では、複数のウィンドウが表示される分割領域である第１分割領域に対応するブロックの光源の波長を、当該複数のウィンドウに指定される色域のうち最も広い色域である第１色域に応じて制御することを特徴とする画像表示装置の制御方法である。
【手続補正５】
【補正対象書類名】明細書
【補正対象項目名】００１２
【補正方法】変更
【補正の内容】
【００１２】
本発明は、入力される画像データに基づく画像を表示する表示パネルと、
前記表示パネルの表示領域内の複数の分割領域に対応する複数のブロックを有し、前記表示パネルに光を照射するバックライトと、
を備える画像表示装置の制御方法であって、
前記複数のブロックの各々の光源の光強度を制御する制御工程と、
前記表示パネルの表示領域内の異なる領域に複数のウィンドウを表示させる画像データが入力される場合に、ウィンドウ毎に指定される表示位置及び輝度の情報を取得する取得工程と、
を有し、
前記制御工程では、複数のウィンドウが表示される分割領域である第１分割領域に対応するブロックの光源の光強度を、当該複数のウィンドウに指定される輝度のうち最も高い輝度である第１輝度に応じて制御することを特徴とする画像表示装置の制御方法である。